(57)【要約】  本発明の第２物質を含有する瓶の蓋は、容器に固定される固定部材とその固定部材に結合される移動部材とを備え、前記固定部材は、中空本体とその中空本体の内面から下に延長される支持部とを有し、前記支持部は、物質排出部と支持部の下端に形成される密閉部とを有し、前記移動部材は、固定部材の本体に結合される本体と、その本体から下に延長されて第２物質の貯蔵空間を形成する管部とを有し、前記管部には第２物質が貯蔵空間に満たされることができる開放下端が備えられ、前記管部には第２物質が貯蔵空間に満たされることができる開放下端が備えられ、前記管部の開放下端は、第２物質が貯蔵空間に満たされて移動部材が固定部材に結合された後に、固定部材の支持部に形成された密閉部と連結されるようになっており、且つ第２物質が固定部材の支持部に形成された物質排出部を通じて瓶内に排出されて容器に含有された第１物質と混合されることができるように密閉部から解除されるようになっている。【選択図】  なし
2007512193.tif 000002
【特許請求の範囲】
【請求項１】
容器に固定される固定部材とその固定部材に結合される移動部材とを有してなり、
前記固定部材は、中空本体とその中空本体の内面から下に延長される支持部とを有し、前記支持部は、物質排出部と支持部の下端に形成される密閉部とを有し、
前記移動部材は、固定部材の本体に結合される本体と、その本体から下に延長されて第２物質の貯蔵空間を形成する管部とを有し、
前記管部には第２物質が貯蔵空間に満たされることができる開放下端が備えられ、前記管部の開放下端は、第２物質が貯蔵空間に満たされて移動部材が固定部材に結合された後に、固定部材の支持部に形成された密閉部と連結されるようになっており、且つ第２物質が固定部材の支持部に形成された物質排出部を通じて瓶内に排出されて容器に含有された第１物質と混合されることができるように密閉部から解除されるようになっている、第２物質を含有する瓶の蓋。
【請求項２】
前記固定部材の中空本体は、容器に固定された側壁とその側壁から上方に延長する排出部を含み、移動部材が前記排出部に結合されることを特徴とする、請求項１記載の瓶の蓋。
【請求項３】
前記固定部材の中空本体は、移動部材の本体にスクリュー結合されることを特徴とする、請求項１記載の瓶の蓋。
【請求項４】
前記管部は、本体と別体であり、本体の底部から下方に延長する掛かり突起に結合される円周上部突起が備えられていることを特徴とする、請求項１記載の瓶の蓋。
【請求項５】
前記管部は、移動部材が固定部材から除去される時、固定部材の支持部の内面に形成された円周突起に結合される円周下部突起が備えられていることを特徴とする、請求項４記載の瓶の蓋。
【請求項６】
移動部材が固定部材から除去される時、第２物質を攪拌するために、密閉部に形成された攪拌突起ピンをさらに含むことを特徴とする、請求項１記載の瓶の蓋。
【請求項７】
前記固定部材の中空本体の下端に形成された第１不正開封防止部と移動部材の本体に形成された第２不正開封防止部をさらに含むことを特徴とする、請求項１記載の瓶の蓋。
【請求項８】
前記支持部の底部に配置された密閉補強部材をさらに含むことを特徴とする、請求項１記載の瓶の蓋。
【請求項９】
前記密閉補強部材がＯ−リングであることを特徴とする、請求項８記載の瓶の蓋。
【請求項１０】
前記Ｏ−リングがシリコンにより形成されてなることを特徴とする、請求項９に記載の瓶の蓋。
【請求項１１】
前記密閉部は、支持部から分離して形成され、支持部に固定して組み立てられていることを特徴とする、請求項１記載の瓶の蓋。
【請求項１２】
請求項１乃至請求項１１の何れか一項に記載の瓶の蓋を採用する製品。
【発明の詳細な説明】
【技術分野】
【０００１】
本発明は第２物質の貯蔵空間を有する瓶の蓋及びそれを用いる製品に関するもので、特に、簡単に瓶の蓋を開放することにより、瓶の蓋に結合された容器内に含有された第１物質と混合される第２物質の貯蔵空間を有する瓶の蓋に関するものである。
【背景技術】
【０００２】
多様な産業分野で、混合物を用いる前に、混合物を準備するために、二つまたは二つ以上の異なる物質を互いに混合して混合物を製造して用いることが必要である。
例えば、飲料産業分野では、使用者は水に多様な香料やビタミンを添加したいという要望がある。この目的のために、使用者は香料またはビタミンと別途に水の入った瓶を購入して、水の入った瓶に香料またはビタミンを混合する。しかしながら、使用者が混合するにはとても不便である。
【発明の開示】
【発明が解決しようとする課題】
【０００３】
本発明は詳述した従来技術の問題点を解決するためのものでる。
本発明の目的は、単純に瓶の蓋を開放することにより、瓶の蓋に結合された容器内に含有された第１物質と混合される第２物質の貯蔵空間を有する瓶の蓋を提供する。
また、本発明の他の目的は、第２物質の貯蔵空間を有する瓶の蓋を採用した製品を提供する。
【課題を解決するための手段】
【０００４】
前記目的を達成するために、本発明は第２物質を含有する瓶の蓋は、容器に固定される固定部材とその固定部材に結合される移動部材とを備えている。
前記固定部材は、中空本体とその中空本体の内面から下に延長される支持部とを有し、前記支持部は物質排出部と支持部の下端に形成される密閉部とを有する。
前記移動部材は、固定部材の本体に結合される本体と、その本体から下に延長されて第２物質の貯蔵空間を形成する管部とを有する。
【０００５】
前記管部には第２物質が貯蔵空間に満たされることができる開放下端が備えられ、前記管部の開放下端は、第２物質が貯蔵空間に満たされて移動部材が固定部材に結合された後に、固定部材の支持部に形成された密閉部と連結されるようになっており、且つ第２物質が固定部材の支持部に形成された物質排出部を通じて瓶内に排出されて容器に含有された第１物質と混合されることができるように密閉部から解除されるようになっている。
従って、本発明は、使用者が瓶の蓋を簡単に開放することにより、第２物質を第１物質に容易に添加できる長所がある。
【発明の効果】
【０００６】
前述したように、本発明は、簡単な作用によって、容器内に含有された第１物質に瓶の蓋に含有された第２物質を導入する、容器に結合されることができる瓶の蓋を提供する。
従って、本発明は、即席混合物の提供を必要とする飲料産業分野及び他の化学分野のような多様な産業分野に適用されることができる。
【発明を実施するための最良の形態】
【０００７】
以下、本発明の好ましい実施例を添付した図面を参照して説明する。同じ引用数字は同じ部分または類似部分を示すために図面に共通して用いられている。
図１は本発明の実施例に従い容器と連結された蓋を表す。
本発明の瓶の蓋１は、瓶Ｂのような容器に固定される固定部材２００と前記固定部材２００と連結する移動部材１００とを備え、前記移動部材１００は固定部材２００と連結することにより囲まれた貯蔵空間を定義する。
前記固定部材２００と前記移動部材１００とは合成樹脂で作ることができるが、本発明はこれに限定されない。
【０００８】
前記固定部材２００は容器に結合される側壁２０１を有する中空本体と前記側壁２０１から上部に延長する排出部２０８とを備える。この実施例で、瓶Ｂが容器として例示されている。前記側壁２０１は、瓶Ｂの首部ＢＮにスクリュー結合されるように設計されることができるが、本発明はこれに限定されない。前記側壁２０１は、他の連結方法を通して柔軟性のあるパウチ容器のような他の形態の容器と結合させることができる。
【０００９】
前記固定部材２００は、側壁２０１の内面から延長し物質排出部２０４を備えた支持部２０３と、前記支持部２０３の下部に形成される密閉部２０２と、物質排出部２０４と連結するために側面２０１から上部に延長する排出部２０８とを備えている。前記固定部材２００は、瓶Ｂの首部ＢＮの内面に密接に接触することによって密閉を形成するために、側壁２０１の内面に形成された密閉突起２０９をさらに備える。不正開封防止部２１０が側壁２０１の下端に形成されることができる。
【００１０】
前記移動部材１００は、上壁１０１と前記上壁１０１から延長する側壁１０２とを有し、固定部材２００の排出部２０８の周りに結合される本体と、前記上壁１０１の底部から下に延長する管部１０３とを備えてなり、前記管部１０３は貯蔵空間１０４を定義し、前記貯蔵空間１０４に第２物質を満たすことができるような開放下端を有する。前記第２物質は、容器に含有された第１物質と混合されることができる粉末、液体濃縮液、顆粒または他の化学物質であり得る。
【００１１】
望ましくは、前記上壁１０１は、弾力部１０６によって側壁１０２に連結される。密閉突起１０５は固定部材２００の排出部２０８の内面に密接に接触するために弾力部１０６の底部から下に延長する。不正開封防止部１０７は移動部材１００の側壁１０２の下端に形成されることができる。
【００１２】
前記貯蔵空間１０４に第２物質Ｃが満たされている状態で、管部１０３の開放下端が固定部材２００の支持部２０３の底部に形成された密閉部２０２に強く固定されることで、移動部材１００は固定部材２００に連結され、これによって前記移動部材１００は貯蔵空間１０４を密閉する。
【００１３】
図面で、移動部材１００の側壁１０２は、排出部２０８の外周にスクリュー結合されているが、本発明はこれに限定されない。例えば、移動部材１００は強制的固定方法によって固定部材２００に固定されるものでもよい。
【００１４】
望ましくは、攪拌ピン２１５が密閉部２０２から上方に延長して形成され、移動部材１００が固定部材２００から離されると、第２物質Ｃの攪拌によって管からさらに効果的に排出されるものでもよい。より望ましくは、前記攪拌ピン２１５は移動部材１００が固定部材２００から離されるとき、円形軌道で回転するように密閉部２０２の偏心部分に形成されている。
【００１５】
前述した本発明の瓶の蓋の作用をより詳しく説明する。
第２物質Ｃは、先ず、移動部材１００の管部１０３によって定義される貯蔵空間１０４に満たされる。そして、管部１０３の底部が密閉部２０２に強く結合されて貯蔵空間１０４の第２物質Ｃが密閉されるように固定部材２００は移動部材１００と組み合わせられている。この状態で、固定部材２００は容器（瓶Ｂ）に固定される。即ち、図面に示すように、固定部材２００の側壁２０１は瓶Ｂの首部ＢＮにスクリュー結合されて首部ＢＮと側壁２０１の内面の間を密閉する。この状態は図１に示されている。
【００１６】
この状態で、移動部材１００が固定部材２００から離れると（即ち、本体の排出部２０８から離れると）、図２に示すように、移動部材１００の管部１０３の底部は支持部２０３の底部に形成された密閉部２０２から離される。この時、管部１０３と支持部２０３の間の密閉が解除され、管部１０３によって定義された貯蔵空間１０４に含有された第２物質は瓶Ｂの内に排出され、水を含む飲料のような第１物質と混合される。
そして、移動部材１００が固定部材２００から完全に離された状態で、使用者は固定部材２００の排出部２０８を通して、混合物を利用したり飲むことができる。この状態は図３に示す。あるいは、使用者は首部ＢＮから固定部材２００を除去した後に、瓶Ｂの首部ＢＮを通して混合物を利用したり飲むことができる。
【００１７】
図４は本発明の他の実施例に従う瓶の蓋を表す。
この実施例の瓶の蓋は、下記以外には、実質的に前述したことと同一である。
この実施例で、管部３０３は移動部材１００から分離される。即ち、前記管部３０３は開放された上部に内周突起３０４が提供され、掛かり突起１０７が移動部材１００の上壁に形成される。従って、管部３０３の開放上部は掛かり突起１０７の周りに挿入されて、掛かり突起１０７と内周突起３０４は強く噛み合う。
【００１８】
内周突起１０８が固定部材２００の内面に形成されて管部３０３の外面に強く接触する。従って、移動部材１００が固定部材２００から離れて、第２物質を容器内に排出するように、先ず定まった程度に開放される時、使用者は瓶Ｂを揺すって第２物質を瓶Ｂに含有された第１物質と効果的に混合することができる。即ち、この場合に、内周突起１０８が管部３０３に強く接触することにより、使用者が瓶Ｂを揺する場合にも、混合物は瓶Ｂの外側に漏出されない。
【００１９】
前記管部３０３にはその底部に外周突起３０５がさらに備えられている。移動部材１００が固定部材２００から離れる時、移動部材１００と管部３０３とは外周突起３０５が内周突起１０８に掛かる時まで上方に移動する。この状態で、管部３０３はもうこれ以上上方に移動せず、移動部材１００の掛かり突起１０７と内周突起３０４は互いに解除されて、これによって、移動部材１００を管部３０３のみならず、固定部材２００から取り外すことができる。この状態で、使用者は管部３０３を混合物が排出されるストローとして使用できるので、使用者が混合物を容易に飲むことができる。
【００２０】
図５は本発明の他の実施例に従う瓶の蓋を表す。
この実施例の瓶の蓋は、下記以外は実質的に第１実施例と同一である。
この実施例には密閉補強部材がさらに提供される。密閉補強部材として、シリコンＯ−リング３０を用いることができる。密閉補強部材３０は、支持部２０３と密閉部２０２の間の支持部２０３の底部に配置されることができる。移動部材１００が固定部材２００に組み立てられると、管部１０３の底部は密閉補強部材３０に強く接触して信頼できる密閉状態を提供する。
【００２１】
図６は本発明の他の実施例に従う瓶の蓋を表す。
この実施例の瓶の蓋は、下記以外は実質的に第１実施例と同一である。
この実施例で、密閉部は支持部２０３から分離される。即ち、密閉部は分離して支持部２０３の底部に固定して組み立てられる。
【００２２】
本発明の技術分野に熟練な当業者は多様な変化を試すことができるが、本発明は本発明の請求範囲とこれに同等な均等範囲内での多様な変化を含むものである。
【図面の簡単な説明】
【００２３】
【図１】本発明の実施例に従う容器と瓶の蓋の組立状態を表す断面図である。
【図２】本発明の実施例に従う瓶の蓋の使用状態を表す断面図である。
【図３】本発明の実施例に従う移動部材から分離された固定部材を表す断面図である。
【図４】本発明の他の実施例に従う容器に組み立てられた瓶の蓋を表す断面図である。
【図５】本発明の他の実施例に従う容器に組み立てられた瓶の蓋を表す断面図である。
【図６】本発明の他の実施例に従う容器に組み立てられた瓶の蓋を表す断面図である。
【図１】
2007512193.tif 000003
【図２】
2007512193.tif 000004
【図３】
2007512193.tif 000005
【図４】
2007512193.tif 000006
【図５】
2007512193.tif 000007
【図６】
2007512193.tif 000008
【国際調査報告】
2007512193.tif 000009
2007512193.tif 000010